(57)【要約】【課題】取り付けおよび取り外しが容易で、自毛の伸びに関わらず浮き上がりを確実に防止できるかつら。【解決手段】多数の毛髪が表面側に植設されるかつらベース本体の外枠の外側に、糸状の伸縮部材の両端部を取り付けたかつら。【選択図】図１
2012072521.tif 000002
【特許請求の範囲】
【請求項１】
多数の毛髪が表面側に植設されるかつらベース本体の外枠の外側に、糸状の伸縮部材の両端部が取り付けられている
ことを特徴とするかつら。
【請求項２】
伸縮部材は、かつらベース本体に周回されて取り付けられている
ことを特徴とする請求項１記載のかつら。
【請求項３】
かつらベース本体の外枠と伸縮部材との間には、少なくとも１つ以上の糸状の補助伸縮部材が取り付けられている
ことを特徴とする請求項１又は２記載のかつら。
【発明の詳細な説明】
【技術分野】
【０００１】
本発明は、かつらに関する。特に、自毛が伸びてもずり上がることがない、自毛がある人用の部分かつらに関する。
【背景技術】
【０００２】
従来から、装着時のずれや外れ等を確実に防止する観点から、かつらの一部を自毛に縛りつけて固定するタイプのものが提案されている。さらに、このようなタイプのかつらにおいては、略Ｕ字状に形成された可撓性を有する硬質の外枠部材の両側部の間に、毛髪が植毛される複数のベース部材が伸縮性部材を介して一定の間隔で取り付けられている。そして、装着する際に、伸縮性部材を若干伸ばした状態として外枠部材を自毛で縛り付ける等して固定することによって、自毛が若干伸びた場合に、予め伸ばして固定された伸縮性部材が縮み、地肌からのかつらの浮き上がりが防止される構成のものが提案されている。（特許文献１参照）
【０００３】
しかしながら、上記特許文献１記載のかつらは、装着時に伸ばした伸縮性部材の伸びよりも自毛が伸びた場合においては、地肌からかつらが浮き上がってしまうおそれがあるとともに、自毛でかつらを縛り付けて固定しているため、かつらの取り外しが容易ではなく、日々のケア等が容易ではないという問題がある。
【先行技術文献】
【特許文献】
【０００４】
【特許文献１】特開２０１０−７２１３号公報
【発明の概要】
【発明が解決しようとする課題】
【０００５】
本願発明は、かかる従来技術に鑑み、取り付けおよび取り外しが容易で、自毛の伸びに関わらず浮き上がりを確実に防止できるかつらを提供することを課題とする。
【課題を解決するための手段】
【０００６】
本発明は、かつらベース本体に糸状の伸縮部材を周回させて取り付けることにより、この伸縮部材を引き延ばして後頭部等に引っ掛け自毛で隠すだけで容易に取り付けることができるとともに、定期的に着脱を行うことによって、かつらの浮き上がりを確実に防止できる。
【０００７】
本発明の主な構成は次のとおりである。
（１）多数の毛髪が表面側に植設されるかつらベース本体の外枠の外側に、糸状の伸縮部材の両端部が取り付けられていることを特徴とするかつら。
（２）伸縮部材は、かつらベース本体に周回されて取り付けられていることを特徴とする（１）記載のかつら。
（３）かつらベース本体の外枠と伸縮部材との間には、少なくとも１つ以上の糸状の補助伸縮部材が取り付けられていることを特徴とする（１）又は（２）記載のかつら。
【発明の効果】
【０００８】
本発明の主な効果は次のとおりである。
かつらベース本体を頭部の所定位置に設置させた状態で、伸縮部材を引き延ばしてから自毛を引き出して固定することによって、かつらベース本体を取り付けることができ、伸縮部材の自毛による固定を取り除くことによって、かつらベース本体を頭部から取り外すことができるため、かつらベース本体の取り付けおよび取り外しを容易にできる。このため、かつらベース本体を定期的につけ直すことによって、自毛の伸びに伴う、かつらのずれや浮き上がりを確実に防止できる。特に、装着時においては、伸縮部材を自毛の間に隠すことができるため、伸縮部材を目立たなくすることができる。
そして、かつらベース本体の外枠の外側に取り付けられた伸縮部材を伸ばして固定させるため、仮に長期間にわたってかつらベース本体を装着し続けた場合であっても、かつらベース本体の一部がずれたり浮き上がったりすることがない。このため、かつらベース本体を取り付けていることによる不自然さが出ることはないから、自毛の伸びに伴うかつらのずれや浮き上がり等を確実に防止できる。
【図面の簡単な説明】
【０００９】
【図１】実施例１のかつらを示す概略斜視図。
【図２】実施例１のかつらを示す概略底面図。
【図３】実施例１のかつらの装着状態を示す概略斜視図。
【図４】実施例１のかつらの装着方法を示す概略正面図。
【図５】実施例１の他の構成のかつらを示す概略底面図。
【図６】実施例２の大きめの頭頂部のかつらを示す概略底面図。
【図７】実施例２の大きめの頭頂部のかつらの装着状態を示す概略斜視図。
【図８】実施例３の頭頂部のみのかつらを示す概略底面図。
【図９】実施例３の頭頂部のみのかつらの装着状態を示す概略斜視図。
【図１０】実施例４の生え際辺りのみのかつらを示す概略底面図。
【図１１】実施例４の生え際辺りのみのかつらの装着状態を示す概略斜視図。
【図１２】実施例４の他の構成の生え際辺りのみのかつらを示す概略底面図。
【図１３】実施例４の他の構成の生え際辺りのみのかつらの装着状態を示す概略斜視図。
【発明を実施するための最良の形態】
【００１０】
本発明は、自毛が伸びることに伴う、ずり上がりや浮き上がりを確実に防止できる、自毛がある人用のかつらであり、かつらベース本体の外枠の外側に、糸状の伸縮部材の両端部を取り付けたものである。特に、かつらベース本体を頭部の所定位置に設置させた状態で伸縮部材を引き延ばし自毛を引き出して伸縮部材を固定することによって、かつらベース本体を取り付けることができ、この伸縮部材の自毛による固定を取り除くことによって、かつらベース本体を頭部から取り外すことができ、かつらベース本体を定期的につけ直すことによって、自毛の伸びに伴う、かつらのずれや浮き上がりを確実に防止できる。
【００１１】
＜かつらベース本体について＞
かつらベース本体は、例えば伸縮性の低い釣り糸のような糸にて網状に形成されており、この糸の結合点等に多数の毛髪が縛り付ける等されて、表面側に多数の毛髪が植設されている。ここで、この毛髪としては、人毛又は人工毛のいずれであってもよい。そして、かつらベース本体の外枠には、外縁材が周回されている。なお、このかつらベース本体としては、例えばシリコンゴム等の伸縮性を有する糸にて構成することもできる。
また、かつらベース本体の使用形態は、頭頂部かつら、全かつら、生え際用かつらなど各種の態様が可能である。また、薄くなった自毛を隠すために用いられるかつら以外にも、特にファッション性に優れた様々なウィッグ（部分かつら及び全かつら）等の態様についても可能である。
【００１２】
＜伸縮部材について＞
伸縮部材は、例えばシリコンゴム等の伸縮性を有する糸状のゴム糸等で形成されており、この伸縮部材の両端部が、かつらベース本体のテンション糸の一部に縛り付ける等して取り付けられている。特に、伸縮部材は、かつらベース本体に対し周回されて取り付けられていることが好ましく、またかつらベース本体が装着される位置から、可能な限り離れた位置に伸縮部材を引っ掛けて自毛で固定できることが好ましい。伸縮部材は、装着者の頭部の所定位置にかつらベース本体を設置させた状態で、引き延ばされて装着者の後頭部等に引っ掛けられ、この伸縮部材の周辺の自毛が引き出されて固定される。この状態においては、引き出された自毛によって伸縮部材が隠された状態となり、伸縮部材が目立たなくなる。
【００１３】
＜補助伸縮部材について＞
補助伸縮部材は、伸縮部材と同様に、例えばシリコンゴム等の伸縮性を有する糸状のゴム糸等で形成されており、かつらベース本体の外枠を構成する外縁材と伸縮部材との間に橋渡しされて取り付けられている。すなわち、補助伸縮部材は、一端部が外縁材の所定位置に縛り付ける等して固定され、他端部が伸縮部材の所定位置に縛り付ける等して固定されており、伸縮部材を装着者の後頭部等に引っ掛けて固定させる際において、装着者の自毛が引き出されて各補助伸縮部材も自毛の間に隠されて固定され、かつらベース本体をより確実に装着できるようにする。
【実施例１】
【００１４】
頭頂部の広い範囲を覆う部分かつらの実施例について説明する。
図１ないし図３は、装着者Ａの頭頂部Ｂの広い範囲を覆うかつら１を示し、このかつら１は、自毛Ｃを有する人用の簡単な構成の立体装着かつらであって、例えば釣り糸等に用いられる伸縮性の低い糸２等にて格子状に形成されたカツラネットベースであるかつらベース本体３を備えている。ここで、このかつらベース本体３を構成する糸２としては、例えば細いテグスのより糸等の透明の細い樹脂線材等が用いられる。
そして、かつらベース本体３は、外形略円形状に形成されており、このかつらベース本体３を構成する糸２の結合点およびその他の所定位置には、多数の毛髪４が縛り付ける等して固定され、このかつらベース本体３の表面側に植設されている。ここで、この毛髪４としては、人毛または人工毛等が用いられる。さらに、このかつらベース本体３の外周には外縁材５が張り巡らされている。
この外縁材５には、例えばシリコンゴム・ウレタンゴム・ラテックス・ポリエチレン等のゴム糸にて構成された伸縮性線材である伸縮部材１１の一部が縛り付ける等して取り付けられている。この伸縮部材１１は、例えば黒色や茶色等の毛髪と同様の色に着色された無端状である円形状のゴムの輪であって、この伸縮部材１１の一部は、図１ないし図３に示すように、かつらベース本体３の前側である生え際側から所定間隔を空けた内側の位置に固定されており、間隔を空けて、外縁材５に５か所ほど縛り付ける等して固定されている。さらに、この伸縮部材１１のうち、かつらベース本体３の前側に固定されている側である生え際側を除く後頭部側は、図２に示すように、ある程度の長さが確保されて取り付けられている。伸縮部材１１の後頭部側によって筒状の開口部１２が形成された状態とされている。開口部の大きさは、装着者の頭部にフィットしやすい形状とすることが好ましい。
そして、伸縮部材１１の後頭部側には、所定間隔を介して結節ラインとしての補助伸縮部材２１の一端部が外縁材５と伸縮部材１１に縛り付ける等して固定されている。ここで、これら補助伸縮部材２１は、伸縮部材１１の伸縮率より低い伸縮率を有するように細めに形成されており、２〜１５ｃｍ程度の長さに形成されている。そして、これら補助伸縮部材２１は、伸縮部材１１の周方向に等間隔に離間させた、例えば計５か所の位置に取り付けられている。具体的に、これら補助伸縮部材２１は、伸縮部材１１と同様の、例えばシリコンゴム等のゴム糸にて構成されており、例えば黒色や茶色等の毛髪と同様の色に着色されている。そして、これら各補助伸縮部材２１の他端部は、かつらベース本体３の後頭部側に位置する外縁材５の一部に縛り付ける等して固定されている。
【００１５】
本実施例のかつら１は、上記構成からなるので、図４に示すように、かつら１の伸縮部材１１の開口部１２に両手を入れて、伸縮部材１１および補助伸縮部材２１のそれぞれを手の甲で開いて引き延ばしていき、この開口部１２を開いた状態で、かつら１を被るように装着する。
このとき、図３に示すように、かつらベース本体３を装着者Ａの自毛Ｃが薄い頭頂部Ｂに設置してから、伸縮部材１１の後頭部側を引き延ばして、装着者Ａの後頭部Ｄに引っ掛ける。この状態で、櫛やヘアブラシ等を適宜用いて、これら伸縮部材１１の後頭部側および補助伸縮部２１材間に位置する自毛Ｃを引き出して、これら伸縮部材１１の後頭部側および各補助伸縮部材２１を自毛Ｃの間に隠して固定させ、これら伸縮部材１１の後頭部側および各補助伸縮部材２１のそれぞれを目立たなくさせる。
また、このかつら１を取り外す際においては、伸縮部材１１の後頭部側および各補助伸縮部材２１のいずれか一部を摘む等し、これら伸縮部材１１の後頭部側および各補助伸縮部材２１を自毛Ｃから引き出して、自毛Ｃによる固定を取り除いてから、かつらベース本体３を生え際側へずらす等することによって、かつら１を装着者Ａの頭頂部Ｂから取り外すことができる。
【００１６】
なお、図５に示すように、かつらベース本体３の外縁材５と伸縮部材１１および補助伸縮部材２１との間における接続箇所を、着脱可能な着脱手段としてのクリップ等のフック６にて止める構成とし、このかつらベース本体３から伸縮部材１１および補助伸縮部材２１を容易に取り外したり取り付けたりできる構成とすることもできる。この場合においては、両端部を有する線状に形成された伸縮部材１１とし、この伸縮部材１１の端部をかつらベース本体３の外縁材５の一部にフック６にて固定させる構成とすることにより、このかつらベース本体３に対する伸縮部材１１の着脱をより容易にすることができる。ここで、このフック６としては、軽量かつ汗等による酸化を防止できる観点から、細い銀線材を加工して製作した銀フック等が好ましい。
また、かつらベース本体３の前方の内側に、このかつらベース本体の前側を自毛に固定するための止め具を取り付けることもできる。ここで、この止め具としては、例えばステンレス製またはプラスティック製の螺旋状のコイルを用い、装着者Ａの自毛Ｃをコイルの隙間に挟んで固定させるもの等が好ましい。
【実施例２】
【００１７】
頭頂部の広い範囲を覆う部分かつらの別の実施例について説明する。
図６は、装着者Ａの頭頂部Ｂの広い範囲を覆うかつら１ａを示し、このかつら１ａは、平面視菱形型に形成されたかつらベース本体３ａの外縁材５ａの外周を覆うように外周伸縮部材２２が周回して取り付けられており、この外周伸縮部材２２と外縁材５ａとの間に複数の補助伸縮部材２３が間隔を空けて取り付けられている。これら外周伸縮部材２２および補助伸縮部材２３もまた、例えばシリコンゴム等のゴム糸にて構成され、外周伸縮部材２２は、例えば黒色や茶色等の毛髪と同様の色に着色された円形状のゴムの輪であって、補助伸縮部材２３の各接続箇所は、外縁材５ａまたは外周伸縮部材２２の一部に縛り付ける等して固定されている。
一方、伸縮部材１１ａは、両端部を有する線状のゴム糸にて形成されており、この伸縮部材１１ａの両端部は、かつらベース本体３ａの両側部に接続されている補助伸縮部材２３と外周伸縮部材２２との接続箇所に縛り付ける等して固定されている。さらに、この伸縮部材１１ａと外周伸縮部材２２との間には、補助伸縮部材２１ａが橋渡しされて取り付けられている。これら補助伸縮部材２１ａの一端部は、外周伸縮部材２２と補助伸縮部材２３との接続箇所に縛り付ける等して固定されており、これら補助伸縮部材２１ａの他端部は、伸縮部材１１ａの一部に所定の間隔を空けて縛り付ける等して固定されている。
【００１８】
本実施例のかつら１ａは、上記構成からなるので、かつらベース本体３ａを装着者Ａの自毛が薄い頭頂部Ｂに設置してから、伸縮部材１１を引き延ばして後頭部Ｄに引っ掛けるようにし、伸縮部材１１、補助伸縮部材２１ａ、外周伸縮部材２２および補助伸縮部材２３の間に位置する自毛Ｃを引き出して自毛Ｃの間に隠して固定させ目立たなくさせることによって装着でき、また、伸縮部材１１ａや補助伸縮部材２１ａを摘む等し、これら伸縮部材１１、補助伸縮部材２１ａ、外周伸縮部材２２および補助伸縮部材２３のそれぞれを自毛から引き出すことによって、かつらベース本体３ａを頭頂部Ｂから取り外すことができる。
【００１９】
なお、図７に示すように、各補助伸縮部材２１ａを楕円の線材とし、装着時に各補助伸縮部材２１ａが円形となるように、これら各補助伸縮部材２１ａの両端部を伸縮部材１１の一部に間隔を空けて縛り付ける等して固定するとともに、これら各補助伸縮部材２１ａの中間部を近接する他の補助伸縮部材２３の一部や外周伸縮部材２２の一部等に縛り付ける等して固定する構成とすることもできる。
【実施例３】
【００２０】
頭頂部の比較的狭い面積のみを覆う部分かつらの実施例について説明する。
図８および図９は、装着者Ａの頭頂部Ｂのみを覆う比較的狭い面積用のかつら１ｂを示し、このかつら１ｂは、平面視略二等辺三角形型に形成されたかつらベース本体３ｂの生え際側に設置させる底辺側に位置する外縁材５ｂの各角部に、両端部を有する糸状のゴム糸にて形成された伸縮部材１１ｂの端部が縛り付ける等して固定されている。さらに、このかつらベース本体の３ｂ各斜辺側に位置する外縁材５ｂの中間部およびこれら斜辺間に位置する外縁材５ｂの角部と伸縮部材１１ｂとの間には、例えば計３本の補助伸縮部材２１ｂがそれぞれ橋渡しされて取り付けられている。
【００２１】
本実施例のかつら１ｂは、上記構成からなるので、図９に示すように、かつらベース本体３ｂを装着者Ａの自毛Ｃが薄い頭頂部Ｂに設置してから、伸縮部材１１ｂを引き延ばして後頭部Ｄに引っ掛けるようにし、伸縮部材１１および補助伸縮部材２１ｂ間に位置する自毛Ｃを引き出して自毛Ｃの間に隠して固定させ目立たなくさせることによって装着でき、また、伸縮部材１１ｂまたは補助伸縮部材２１ｂを摘む等し、これら伸縮部材１１ｂおよび補助伸縮部材２１ｂのそれぞれを自毛Ｃから引き出すことによって、かつらベース本体３ｂを頭頂部Ｂから取り外すことができる。
【実施例４】
【００２２】
生え際辺りを覆う部分かつらの実施例について説明する。
図１０および図１１は、装着者Ａの生え際辺りＥのみを覆うかつら１ｃを示し、このかつら１ｃは、平面視略等脚台形型に形成されたかつらベース本体３ｃの額側である生え際側に設置させる側に位置する下底側の外縁材５ｃの各角部に、両端部を有するゴム糸にて形成された伸縮部材１１ｃの端部が縛り付ける等して固定されている。さらに、かつらベース本体３ｃの上底側に位置する外縁材５ｃの各角部と伸縮部材１１ｃとの間には、例えば計２本の補助伸縮部材２１ｃがそれぞれ橋渡しされて取り付けられている。また、このかつらベース本体３ｃの上底側に位置する外縁材５ｃの各角部の間には、両端部を有するゴム糸にて形成された他の補助伸縮部材２３ｃの端部がそれぞれ縛り付ける等して固定されている。この補助伸縮部材２３ｃは、外縁材５ｃと補助伸縮部材２１ｃとの接続箇所に接続されて固定されている。
【００２３】
本実施例のかつら１ｃは、上記構成からなるので、図１１に示すように、かつらベース本体３ｃを装着者Ａの自毛Ｃが薄い生え際辺りＥに設置してから、伸縮部材１１ｃおよび補助伸縮部材２１ｃ，２３ｃのそれぞれを引き延ばして後頭部Ｄに引っ掛けるようにし、これら伸縮部材１１ｃおよび補助伸縮部材２１ｃ，２３ｃ間に位置する自毛Ｃを引き出して自毛Ｃの間に隠して固定させ目立たなくさせることによって装着でき、また、伸縮部材１１ｃまたは補助伸縮部材２１ｃのいずれかを摘む等し、これら伸縮部材１１ｃ、補助伸縮部材２１ｃ，２３ｃのそれぞれを自毛Ｃから引き出すことによって、かつらベース本体３ｃを生え際辺りＥから取り外すことができる。
【００２４】
なお、図１２および図１３に示すように、かつらベース本体３ｃの外縁材５ｃの各角部に取り付けられた補助伸縮部材２１ｃを後頭部Ｄより下側へ移動させて固定することができる構成とすることもできる。
【００２５】
以上から、上記各実施例のかつら１〜１ｃは、伸縮部材１１〜１１ｃおよび補助伸縮部材２１〜２１ｃを引き延ばして被るように装着してから、これら伸縮部材１１〜１１ｃおよび補助伸縮部材２１〜２１ｃ間の自毛Ｃを引き出して自毛Ｃの間に隠して固定させ目立たなくさせることによって装着でき、また、これら伸縮部材１１〜１１ｃおよび補助伸縮部材２１〜２１ｃのそれぞれを自毛Ｃから引き出すことによって取り外すことができるため、これらかつら１〜１ｃの取り付けおよび取り外しを容易にできる。
このため、このかつら１〜１ｃを定期的につけ直すことによって、自毛Ｃの伸びに伴う、かつら１〜１ｃのずれや浮き上がりを確実に防止できる。特に、装着時においては、伸縮部材１１〜１１ｃおよび補助伸縮部材２１〜２１ｃのそれぞれを自毛Ｃの間に隠すことができ、これら伸縮部材１１〜１１ｃおよび補助伸縮部材２１〜２１ｃを目立たなくすることができる。したがって、これらゴム状の伸縮部材１１〜１１ｃおよび補助伸縮部材２１〜２１ｃを用いたかつら１〜１ｃを装着している場合における不自然さをなくすことができるとともに、違和感をなくすことができるから、装着者Ａの装着時の不安を少なくすることができる。
また、装着時に伸縮部材１１〜１１ｃおよび補助伸縮部材２１〜２１ｃを自毛Ｃから引き出して固定することによって、かつらベース本体３〜３ｃを確実に固定できるため、頭部の動きや強い風等に対しても、かつらベース本体３〜３ｃをしっかりと装着者Ａの頭部に固定することができる。また、これら伸縮部材１１〜１１ｃおよび補助伸縮部材２１〜２１ｃにて仕切られる形状を、三角形・台形・四角形・楕円形等の異なる形状にすることによって、かつら１〜１ｃの装着感を変えることができるから、装着者Ａの使い勝手を向上できる。
さらに、かつらベース本体３〜３ｃの外縁材５〜５ｃの外側に伸縮部材１１〜１１ｃおよび補助伸縮部材２１〜２１ｃのそれぞれが取り付けられているため、これら伸縮部材１１〜１１ｃおよび補助伸縮部材２１〜２１ｃを引き伸ばして固定させて装着した場合に、仮に長期間に亘って装着し続けた場合においても、これら伸縮部材１１〜１１ｃおよび補助伸縮部材２１〜２１ｃが有する伸縮力によって、かつらベース本体３〜３ｃが上側にずり上がる等のおそれがなく、このかつらベース本体３〜３ｃがずれたり浮き上がったりすることがない。このため、かつら１〜１ｃを装着していることによる不自然さが出ることがなく、自毛Ｃの伸びに伴うかつら１〜１ｃのずれや浮き上がり等を確実に防止できる。
また、伸縮部材１１〜１１ｃの伸縮率よりも補助伸縮部材２１〜２１ｃの伸縮率を低くすることにより、これら伸縮部材１１〜１１ｃおよび補助伸縮部材２１〜２１ｃを装着者Ａの頭部の凹凸に適切にフィットさせることができるとともに、装着者Ａの後頭部Ｄ等に適度な圧力が掛かるようにできるから、心地よい装着感のかつら１〜１ｃにすることができる。
【符号の説明】
【００２６】
１、１ａ、１ｂ、１ｃ  かつら
２  糸
３、３ａ、３ｂ、３ｃ  かつらベース本体
４  毛髪
５、５ａ、５ｂ、５ｃ  外縁材
６  フック
１１、１１ａ、１１ｂ、１１ｃ  伸縮部材
１２  開口部
２１、２１ａ、２１ｂ、２１ｃ  補助伸縮部材
２２  外周伸縮部材
２３、２３ｃ  補助伸縮部材
Ａ  装着者
Ｂ  頭頂部
Ｃ  自毛
Ｄ  後頭部
Ｅ  生え際辺り
【図１】
2012072521.tif 000003
【図２】
2012072521.tif 000004
【図３】
2012072521.tif 000005
【図４】
2012072521.tif 000006
【図５】
2012072521.tif 000007
【図６】
2012072521.tif 000008
【図７】
2012072521.tif 000009
【図８】
2012072521.tif 000010
【図９】
2012072521.tif 000011
【図１０】
2012072521.tif 000012
【図１１】
2012072521.tif 000013
【図１２】
2012072521.tif 000014
【図１３】
2012072521.tif 000015